(57)【要約】【課題】一回の使用で睫毛全体を簡単に、しかも理想的な放射状に美しくカールさせることができるアイラッシュカーラーを提供するものである。【解決手段】本願に係るアイラッシュカーラーは、一対の支柱１０と、その一対の支柱における直線状の支柱上部１０ａに沿って上下方向に移動可能な湾曲状の可動部材１４と、その可動部材に取付けられる弾性体１６と、一対の支柱上部１０ａに固定される湾曲状の固定部材１２と、可動部材１４を上下に移動させるためのハンドル１８，２２とを備えており、正面視において固定部材１２の下端縁１２ａ（但し両端付近を除く）の曲率半径Ｒ３が１６．５〜２２．５ｍｍに設定されており、平面視において固定部材１２の下端縁１２ａ（但し両端付近を除く）の曲率半径Ｒ１が１８．５〜２４．５ｍｍに設定されている。【選択図】図１
2008272320.tif 000002
【特許請求の範囲】
【請求項１】
一対の支柱と、その一対の支柱における直線状の支柱上部に沿って上下方向に移動可能な湾曲状の可動部材と、その可動部材に取り付けられる弾性体と、前記一対の支柱上部に固定される湾曲状の固定部材と、前記可動部材を上下に移動させるための操作手段とを備え、前記固定部材と前記可動部材との間に睫毛を挟み込んだ状態で前記可動部材を前記操作手段によって上昇させ前記固定部材に押圧することにより睫毛にカールを付与するアイラッシュカーラーにおいて、２本の前記支柱が左右両側に見える正面視において前記固定部材の下端縁（但し両端付近を除く）の曲率半径Ｒ３が１６．５〜２２．５ｍｍに設定されていることを特徴とするアイラッシュカーラー。
【請求項２】
前記支柱上部の軸方向の鉛直線上から見た平面視において前記固定部材の下端縁（但し両端付近を除く）の曲率半径Ｒ１が１８．５〜２４．５ｍｍに設定されていることを特徴とする請求項１記載のアイラッシュカーラー。
【発明の詳細な説明】
【技術分野】
【０００１】
本発明は、睫毛をカールするためのアイラッシュカーラーに関するものである。
【背景技術】
【０００２】
睫毛全体を上下に挟み込んだ状態で、はさみを使用するようにハンドル部を操作することにより、睫毛全体にカールを与えるアイラッシュカーラーに関しては、従来からよく知られている。そしてこのアイラッシュカーラーは、近年では様々な改良が加えられ、例えば特許文献１にあるように、睫毛を簡単にしっかりとカールできるよう工夫が施されたものも開示されている。
【０００３】
【特許文献１】特許第３１４３４１０号公報（図１）
【０００４】
このような従来のアイラッシュカーラーを図７に基づいて説明する。
従来のアイラッシュカーラーは、左右一対の支柱５０と、その一対の支柱の上端に固定される湾曲状の固定部材５２と、ハンドル部５８，６０の操作によって上下に移動するリンク腕６２と、そのリンク腕６２に固定され一対の支柱５０に沿って上下に移動可能な湾曲状の可動部材５４と、その可動部材５４の上に取り付けられる弾性体５６とから構成される。
従ってこのアイラッシュカーラーを使用する場合には、目の外側左右両端部に支柱５０を当てがい、固定部材５２と可動部材５４との間に睫毛を挟み込んだ状態にして、ハンドル部５８，６０に指をかけて操作し、睫毛を弾性体５６の上面で固定部材５２側に押圧することにより、睫毛にカールを与えることができる。
【発明の開示】
【発明が解決しようとする課題】
【０００５】
従来のアイラッシュカーラーは、図７(ｂ)に示すように、側面視において支柱５０と固定部材５２の下端縁とのなす角度θ２がほぼ直角に近い。すなわち図７(ａ)に示すように、正面視では、固定部材５２の下端縁及び弾性体５６はほぼ水平に近い状態に設定されている。このような従来のアイラッシュカーラーでは、図８(ａ)に示すように、固定部材５２の下端縁と弾性体５６とがかみ合って睫毛にカールを与えるライン６０が、目頭や目尻に近い部分では睫毛の長さが短いこととも相俟って、睫毛から外れてかみ合っておらず、有効に機能していないという不都合があった。従って、一回の使用では睫毛全体にカールを与えることはできず、目の中央・目頭・目尻などと、睫毛のカールさせたい部分ごとに何度もその位置を変えてハンドル操作をする必要があった。
また睫毛のカールは本来、図６(ｂ)に示すように、正面から見た時に、睫毛全体が放射状にカールしている状態が最も美しく見えるのであるが、従来のアイラッシュカーラーでは図８(ｂ)に示すように、睫毛が垂直に近い状態にカールされてしまい、放射状に美しくカールさせることは困難であった。
【０００６】
本発明は上記の点に鑑みてなされたもので、一回の使用で睫毛を簡単に、しかも放射状に美しくカールさせることができるアイラッシュカーラーを提供することを目的とするものである。
【課題を解決するための手段】
【０００７】
上記目的を達成するため本発明は、一対の支柱と、その一対の支柱における直線状の支柱上部に沿って上下方向に移動可能な湾曲状の可動部材と、その可動部材に取り付けられる弾性体と、前記一対の支柱上部に固定される湾曲状の固定部材と、前記可動部材を上下に移動させるための操作手段とを備え、前記固定部材と前記可動部材との間に睫毛を挟み込んだ状態で前記可動部材を前記操作手段によって上昇させ前記固定部材に押圧することにより睫毛にカールを付与するアイラッシュカーラーにおいて、２本の前記支柱が左右両側に見える正面視において前記固定部材の下端縁（但し両端付近を除く）の曲率半径Ｒ３が１６．５〜２２．５ｍｍに設定されていることを特徴としている。また、前記支柱上部の軸方向の鉛直線上から見た平面視において前記固定部材の下端縁（但し両端付近を除く）の曲率半径Ｒ１が１８．５〜２４．５ｍｍに設定されていることを特徴としている。
【発明の効果】
【０００８】
本発明に係るアイラッシュカーラーによれば、睫毛を上下に挟み込む部材の湾曲形状が、正面視において睫毛の生えている根元部分の目のカーブにぴったりと沿うように設定されているので、目の中央・目頭・目尻などと、睫毛のカールさせたい部分ごとに何度も使用する必要がなく、一回の使用で睫毛全体を簡単に、しかも理想的な放射状に美しくカールさせることができる。
【発明を実施するための最良の形態】
【０００９】
次に本発明を図面に基づいて説明する。図１(ａ)は本発明に係るアイラッシュカーラーの正面図、図１(ｂ)はその右側面図、図２は本発明に係るアイラッシュカーラーの動作状態を表す図である。
図１及び図２に示すように、アイラッシュカーラーは、左右一対の支柱１０と、その一対の支柱の上端に固定される湾曲状の固定部材１２と、操作手段としてのハンドル部１８、２２の操作によって上下に移動するリンク腕２６と、そのリンク腕２６に固定され一対の支柱上部１０ａに沿って上下に移動可能な湾曲状の可動部材１４と、その可動部材１４の上に取り付けられる弾性体１６とから構成されている。
【００１０】
左右一対の支柱１０の上端には、湾曲状の固定部材１２が取り付けられており、これは睫毛をカールさせる際に、瞼に押し当てる部分となる。そしてその固定部材１２の下端縁は、弾性体１６とかみ合うことによって睫毛にカールを付与する部分となる。
左右一対の支柱１０は、可動部材１４を摺動支持する部分である支柱上部１０ａと、それに連なる支柱下部１０ｂとを形成しており、さらにその下方は第一レバー２０を形成し、そしてさらに第一レバー２０の下方は指をかけて操作するための第一ハンドル１８を形成している。左右一対の支柱１０は一本の線材を屈曲させて成るものであって、支柱上部１０ａ、支柱下部１０ｂ、第一レバー２０及び第一ハンドル１８とともに一体的に形成されるものである。
【００１１】
そして支柱下部１０ｂと第一レバー２０との間にはピン２８が挿通されており、このピン２８を介して、一本の線材を屈曲させて成る第二レバー２４及び第二ハンドル２２とが回動自在に取り付けられている。
第二レバー２４の上端部には、リンク腕２６を挿通させるための挿通穴３０が形成されている。そして一本の線材をＶ字上に屈曲させて成るリンク腕２６は、この挿通穴３０に挿通され、その上端は湾曲状の可動部材１４の下面に固定されている。可動部材１４は、支柱上部１０ａに沿って上下に移動可能となるよう形成されている。従って、第一ハンドル１８及び第二ハンドル２２に指をかけて、はさみを使用するように操作すると、この操作に伴ってリンク腕２６は上下に移動し、そのリング腕２６とともに可動部材１４も上下に移動することになる。
なお図２は、第一ハンドル１８と第二ハンドル２２を開いて、リンク腕２６及び可動部材１４を下方に引き下げ、可動部材１４と固定部材１２との間を最大限広げた状態を表している。
【００１２】
左右一対の支柱上部１０ａにまたがって固定される固定部材１２は、支柱上部１０ａの軸方向の鉛直線上から矢視した平面視（図２の矢印Ｙ方向）において円弧状となるよう湾曲している。そして図３に示すように、固定部材１２の下端縁１２ａの曲率半径Ｒ１は、１８．５〜２４．５ｍｍ程度が好ましく、より好ましくは２０．５ｍｍ程度である。なお、固定部材１２の下端縁１２ａの前記曲率半径Ｒ１という場合、下端縁１２ａの両端付近は除くものとする。これは、下端縁１２ａの両端付近は、支柱上部１０ａへの取り付けの関係から、やや外側に広がっていたり、やや内側に狭まっていたりする場合もあるからである。つまり、固定部材１２の下端縁１２ａの全体が、きれいな円弧形状でない場合もあるのである。その場合には少なくとも、下端縁１２ａの円弧のほぼ中央付近の点Ｐにおける曲率半径Ｒ１が、上記のように１８．５〜２４．５ｍｍ程度であればよい。
【００１３】
このような固定部材１２は、図１(ｂ)に示すように、二本の支柱１０がぴったりと重なって一本に見える位置の側面視において、固定部材１２の下端縁１２ａと支柱上部１０ａとのなす角度θ１が、好ましくは４０〜６０度、より好ましくは４５〜５０度程度となるように、支柱上部１０ａに取り付けられる。
【００１４】
支柱上部１０ａに沿って上下に移動する可動部材１４は、図２のＡ−Ａ断面図である図４(ａ）及び、図４(ａ)のＢ−Ｂ断面図である図４（ｂ）に示すように、断面コの字状で筺状の枠体を湾曲させて成るものである。そしてその筺状の枠体の空間内に上部が一部突出する形で、例えばゴムなどの弾性体１６が嵌着されている。
【００１５】
この弾性体１６が嵌着された可動部材１４は、支柱上部１０ａの軸方向の鉛直線上から矢視した平面視（図２の矢印Ｙ方向）において、図４(ａ）に示すように、その全体形状が円弧状に湾曲しており、その円弧状部分の曲率半径Ｒ２は、１８．５〜２４．５ｍｍ程度が好ましく、より好ましくは２０．５ｍｍ程度である。なお図４(ａ)において弾性体１６の断面における中心線３４は、固定部材１２の下端縁１２ａと弾性体１６とがかみ合う部分（睫毛を挟む部分）である。すなわち、弾性体１６及び可動部材１４の曲率半径Ｒ２と、前述した固定部材１２の下端縁１２ａの曲率半径Ｒ１とは一致する値となる。
また図４(ａ)に示すように、可動部材１４の左右両端にはリング３２が一体的に形成されており、その左右のリング内を支柱上部１０ａが挿通する。従って可動部材１４全体が支柱上部１０ａに沿って上下に移動可能となる。
【００１６】
支柱上部１０ａにまたがって固定される固定部材１２と、弾性体１６を嵌着させた可動部材１４は、２本の支柱が左右両側に見え、かつ支柱上部１０ａに対して垂直方向から見た正面視（図１(ｂ)における矢印Ｘ方向）において、図１(ａ)に示すような円弧形状を形成する。そしてこの正面視における固定部材１２、弾性体１６及び可動部材１４の拡大図を図５に示すと、固定部材１２の下端縁１２ａの円弧状部分の曲率半径Ｒ３は、好ましくは、１６．５〜２２．５ｍｍ程度であり、より好ましくは、１８．５ｍｍ程度である。なお、固定部材１２の下端縁１２ａの曲率半径Ｒ３という場合には、前述同様、下端縁１２ａの両端付近は除くものとする。
【００１７】
このような本願に係るアイラッシュカーラーは、まずハンドル部１８，２２に指をかけてはさみを使用するようにしてこれを開き（図２）、固定部材１２と可動部材１４との間を開いた状態にする。次に目の外側左右両端部に支柱上部１０(ａ)を当てがい、また固定部材１２を瞼に押し当て、アイラッシュカーラー本体を安定させた状態にしたうえで、固定部材１２と可動部材１４との間に睫毛を挟み込んだ状態にする。そして、ハンドル部１８，２２に指をかけてこれを閉じるように操作し、可動部材１４に取り付けられた弾性体１６の上面で、睫毛を固定部材１２側に強く押圧する。すると弾性体１６に固定部材１２の下端縁１２ａが食い込むような状態になり、睫毛にしっかりとしたカールを与えることができる。
【００１８】
本願に係るアイラッシュカーラーによれば、図６(ａ)に示すように、固定部材１２の下端縁１２ａと弾性体１６とがかみ合って睫毛を挟むライン３４が、睫毛の生えている根元部分の目のカーブにぴったりと沿うように設定されるので、一回の使用で睫毛を簡単にしっかりとカールさせることができる。この図６(ａ)からも分かるように、目頭や目尻付近においても、固定部材１２の下端縁１２ａと弾性体１６とがかみ合っているので、目頭や目尻付近の睫毛の短い部分であっても、睫毛の根元からしっかりとカールさせることができる。また、一回の使用で、図６(ｂ)に示すように、睫毛のカール状態としては理想的な放射状に美しくカールさせることができる。
【図面の簡単な説明】
【００１９】
【図１】(ａ)は、本発明に係るアイラッシュカーラーの正面図、(ｂ)はその右側面図である。
【図２】本発明に係るアイラッシュカーラーの動作状態を表す図である。
【図３】本発明に係るアイラッシュカーラーの部分拡大平面図である。
【図４】(ａ)は、図２のＡ−Ａ断面図、(ｂ)は図４(ａ)のＢ−Ｂ断面図である。
【図５】本発明に係るアイラッシュカーラーの部分拡大正面図である。
【図６】(ａ)は、本発明に係るアイラッシュカーラーで睫毛を挟んだ状態を表す図、(ｂ)はその時の睫毛のカール状態を表す図である。
【図７】（ａ）は、従来のアイラッシュカーラーの正面図、（ｂ）は、その右側面図である。
【図８】(ａ)は、従来のアイラッシュカーラーで睫毛を挟んだ状態を表す図、(ｂ)はその時の睫毛のカール状態を表す図である。
【符号の説明】
【００２０】
１０  支柱
１０ａ  支柱上部
１２  固定部材
１４  可動部材
１６  弾性体
１８  第一ハンドル
２０  第一レバー
２２  第二ハンドル
２４  第二レバー
２６  リンク腕
３２  リング
【図１】
2008272320.tif 000003
【図２】
2008272320.tif 000004
【図３】
2008272320.tif 000005
【図４】
2008272320.tif 000006
【図５】
2008272320.tif 000007
【図６】
2008272320.tif 000008
【図７】
2008272320.tif 000009
【図８】
2008272320.tif 000010